(57)【特許請求の範囲】
【請求項１】
モバイル機器のためのアクセサリであって、
前記モバイル機器に接続可能に構成された固定板と、
前記固定板に回転可能に連結された連結部と、
リングであって、該リングの弧の一部分が回転軸として形成され、該回転軸が前記連結部によって回転可能に挟持された、前記リングと、
を備え、
前記連結部は、
第１の翼部材と、
前記第１の翼部材と隙間を介して対面するように並列配置された第２の翼部材と、
前記第１の翼部材と前記第２の翼部材とを前記連結部の後方で接続する接続部と、
前記第１及び第２の翼部材の間の前記隙間に前記接続部に隣接して配置された、前記リングの回転軸を受け入れる樹脂部と、
前記第１及び第２の翼部材を互いに接近させるように前記連結部の前方に設けられた締結部と、
を備え、
前記締結部を締結したとき、前記第１及び第２の翼部材によって、前記リングの回転軸が前記樹脂部を介して挟持され、
前記リングは、その回転位置が前記回転軸と前記樹脂部との間の摩擦力によって維持される、モバイル機器のためのアクセサリ。
【請求項２】
前記第１及び第２の翼部材の間の隙間に前記樹脂部の前方に配置された、所定厚さの制限部材をさらに備える、請求項１に記載のモバイル機器のためのアクセサリ。
【請求項３】
前記制限部材の前記所定の厚さは、前記第１及び第２の翼部材の接近による前記リングの回転軸の挟持を可能にしつつ、前記第１及び第２の翼部材が前記所定厚さ以内に接近することを防止することで前記締結部による締結を確実にするように設定されている、請求項２に記載のモバイル機器のためのアクセサリ。
【請求項４】
前記樹脂部は、前記リングの回転軸を受け入れるように貫通した溝を有し、該溝が前記連結部の前方の開放部分に向かうように配置されている、請求項１から３のいずれか１項に記載のモバイル機器のためのアクセサリ。
【請求項５】
前記第１の翼部材は、前記接続部に隣接した内壁部に第１の凹部を有し、前記第２の翼部材は、前記接続部に隣接した内壁部に、前記第１の凹部と対面した第２の凹部を有し、前記接続部は、前記第１の凹部と前記第２の凹部とを接続する第３の凹部を有し、
前記樹脂部は、前記第１の凹部と前記第２の凹部と前記第３の凹部とによって受け入れられる、請求項１から４のいずれか１項に記載のモバイル機器のためのアクセサリ。
【請求項６】
前記第１の翼部材は第１の貫通孔を有し、前記第２の翼部材は第２の貫通孔を有し、前記第１の貫通孔と前記第２の貫通孔とは整列しており、
前記締結部は、前記第１及び第２の貫通孔を通過して前記第１及び第２の翼部材を締結するネジ又はピンである、請求項１から５のいずれか１項に記載のモバイル機器のためのアクセサリ。
【請求項７】
前記第２の翼部材から垂直に延在する回転部をさらに備え、該回転部は、前記固定板に回転可能に軸支される、請求項１から６のいずれか１項に記載のモバイル機器のためのアクセサリ。
【請求項８】
前記回転部は、円筒形のカシメ金具である、請求項７に記載のモバイル機器のためのアクセサリ。
【請求項９】
前記第１の翼部材、前記第２の翼部材及び前記接続部は、一体成形されている、請求項１から８のいずれか１項に記載のモバイル機器のためのアクセサリ。
【請求項１０】
前記リングは、４隅が丸められた矩形の形状を有する、請求項１から９のいずれか１項に記載のモバイル機器のためのアクセサリ。
【請求項１１】
前記回転軸は、矩形形状の前記リングの一辺の一部分をなす、請求項１０に記載のモバイル機器のためのアクセサリ。
【請求項１２】
前記回転軸は、前記リングの残りの部分と一体成形されている、請求項１０に記載のモバイル機器のためのアクセサリ。
【請求項１３】
前記リングは、円形の内周を有する、請求項１０から１２のいずれか１項に記載のモバイル機器のためのアクセサリ。
【請求項１４】
前記回転軸は、円柱形状を有する、請求項１から１３のいずれか１項に記載のモバイル機器のためのアクセサリ。
【請求項１５】
前記制限部材は、前記ネジ又はピンである前記締結部が貫通する孔を有する、請求項２に従属する請求項６に記載のモバイル機器のためのアクセサリ。
【発明の詳細な説明】
【技術分野】
【０００１】
本発明は、モバイル機器のためのアクセサリに関する。
【背景技術】
【０００２】
昨今、スマートフォンやタブレット端末等のモバイル機器で動画を視聴したり、当該モバイル機器を机等に据え置いて利用したりする用途が多くなっている。例えば下記特許文献１では、かかる用途に適したモバイル機器のための技術が開示されている。
【０００３】
特許文献１に記載されたモバイル機器のアクセサリは、モバイル機器の一面に固定される固定板と、一側に開放部を有する輪と、輪を固定板に連結するための連結部材とを備えて構成されている。当該連結部材は、輪の開放部に配置される連結ブロックと、開放部が形成された輪の両端と連結ブロックを貫通して輪と連結ブロックを連結する連結軸と、連結ブロックと連結軸との間に連結軸を取り囲んだ弾性部と、を備えており、弾性部が、連結ブロックと連結軸との間に摩擦力を提供することで、輪が固定板に対して多用な角度を維持するように回転可能となる。
【０００４】
このように特許文献１の技術によれば、モバイル機器のアクセサリは輪を多様な角度に調節して維持することができるため、モバイル機器の携帯と据え置きを便利にするとされている。
【０００５】
特許文献１の技術では、連結軸が輪に対して回転することを防止することが必要となり、連結軸は輪と噛み合う端部に平坦面または凹凸を有するように構成されている。
【先行技術文献】
【特許文献】
【０００６】
【特許文献１】特許６０２８１２２号公報
【発明の概要】
【発明が解決しようとする課題】
【０００７】
本発明は、従来技術よりも簡易な構成で製造の容易なモバイル機器のためのアクセサリを提供することを目的とする。
【課題を解決するための手段】
【０００８】
上記課題を解決するため、本発明のモバイル機器のためのアクセサリは、前記モバイル機器に接続可能に構成された固定板と、前記固定板に回転可能に連結された連結部と、リングであって、該リングの弧の一部分が回転軸として形成され、該回転軸が前記連結部によって回転可能に挟持された、前記リングと、を備え、前記連結部は、第１の翼部材と、前記第１の翼部材と隙間を介して対面するように並列配置された第２の翼部材と、前記第１の翼部材と前記第２の翼部材とを前記連結部の後方で接続する接続部と、前記第１及び第２の翼部材の間の前記隙間に前記接続部に隣接して配置された、前記リングの回転軸を受け入れる樹脂部と、前記第１及び第２の翼部材を互いに接近させるように前記連結部の前方に設けられた締結部と、を備え、前記締結部を締結したとき、前記第１及び第２の翼部材によって、前記リングの回転軸が前記樹脂部を介して挟持され、前記リングは、その回転位置が前記回転軸と前記樹脂部との間の摩擦力によって維持されるように構成したものである。
【０００９】
好ましくは、前記第１及び第２の翼部材の間の隙間に前記樹脂部の前方に配置された、所定厚さの制限部材をさらに備える。制限部材の所定の厚さは、前記第１及び第２の翼部材の接近による前記リングの回転軸の挟持を可能にしつつ、前記第１及び第２の翼部材が前記所定厚さ以内に接近することを防止することで前記締結部による締結を確実にするように設定されている。
【００１０】
前記樹脂部は、前記リングの回転軸を受け入れるように貫通した溝を有し、該溝が前記連結部の前方の開放部分に向かうように配置されている。
【００１１】
前記第１の翼部材は、前記接続部に隣接した内壁部に第１の凹部を有し、前記第２の翼部材は、前記接続部に隣接した内壁部に、前記第１の凹部と対面した第２の凹部を有し、前記接続部は、前記第１の凹部と前記第２の凹部とを接続する第３の凹部を有し、前記樹脂部は、前記第１の凹部と前記第２の凹部と前記第３の凹部とによって受け入れられる。
【００１２】
前記第１の翼部材は第１の貫通孔を有し、前記第２の翼部材は第２の貫通孔を有し、前記第１の貫通孔と前記第２の貫通孔とは整列しており、例えば、前記締結部は、前記第１及び第２の貫通孔を通過して前記第１及び第２の翼部材を締結するネジ又はピンである。
【００１３】
アクセサリは、前記第２の翼部材から垂直に延在する回転部をさらに備え、該回転部は、前記固定板に回転可能に軸支される。例えば、前記回転部は、円筒形のカシメ金具である。
【００１４】
前記第１の翼部材、前記第２の翼部材及び前記接続部は、一体成形されていてもよい。また、前記リングは、４隅が丸められた矩形の形状を有していてもよい。前記回転軸は、矩形形状の前記リングの一辺の一部分をなしていてもよい。また、前記回転軸は、前記リングの残りの部分と一体成形されていてもよい。前記リングは、円形の内周を有し、前記回転軸は、円柱形状を有していてもよい。さらに、前記制限部材は、前記ネジ又はピンである前記締結部が貫通する孔を有していてもよい。
【図面の簡単な説明】
【００１５】
【図１】図１は、本発明の一実施形態に係る、モバイル機器のためのアクセサリの斜視図である。
【図２】図２は、図１に示されたモバイル機器のためのアクセサリの分解斜視図である。
【図３】図３は、図１に示されたモバイル機器のためのアクセサリの分解側面図である。
【図４】図４は、図１に示されたモバイル機器のためのアクセサリの分解上面図である。
【図５】図５は、図１に示されたモバイル機器のためのアクセサリの分解下面図である。
【図６】図６は、図１に示されたモバイル機器のためのアクセサリの一部の上面図である。
【図７】図７は、図１に示されたモバイル機器のためのアクセサリの一部の下面図である。
【図８】図８は、図１に示されたモバイル機器のためのアクセサリの一部の斜視図である。
【図９】図９は、図１に示されたモバイル機器のためのアクセサリの一部の側面である。
【図１０】図１０は、図１に示されたモバイル機器のためのアクセサリの一部の後面図である。
【発明を実施するための形態】
【００１６】
以下、図面を参照して本発明の一実施形態に係るモバイル機器のためのアクセサリを説明する。
【００１７】
図１には、本発明の一実施形態に係るモバイル機器のためのアクセサリ１が示されている。同図に示されるように、アクセサリ１は、モバイル機器５０（図１の例では、スマートフォン）に接続された固定板２と、固定板２に回転可能に連結された連結部３と、連結部３に回転可能に挟持されたリング４と、を備えている。連結部３とリング４とは、金属製であり、例えば亜鉛合金等で作られている。固定板２は、例えばアクリル板等から作られている。固定板２は、裏面に例えば接着層が塗布されており、該接着層を介して、固定板２がモバイル機器５０の一面に貼り付けされる。
【００１８】
連結部３は、矢印Ａに示されるように、固定板２に対して垂直な軸の周りに回転可能であり、リング４は、矢印Ｂに示されるように、連結部３の回転軸に対して垂直な軸（固定板２に対して平行な軸）の周りに回転可能である。後述するように、連結部３及びリング４は、摩擦力によって、それらの回転位置を維持している。よって、摩擦力を超える力を加えたときに、それらは回転する。このように連結部３及びリング４の回転位置を自在に調節することによって、机等の上に、モバイル機器５０をユーザが見やすい位置に斜めに立てて置くことが可能となる。
【００１９】
図２には、アクセサリ１の分解斜視図が示され、図３にはアクセサリ１の分解側面図が示されている。図２に示されるように、リング４は、リング４の弧の一部分が回転軸１６として形成され、この回転軸１６が連結部３によって回転可能に挟持される。好ましくは、回転軸１６は、円柱形状を有する。また好ましくは、回転軸１６は、リング４の残りの部分と一体成形されている。
【００２０】
回転軸１６を回転可能に挟持するため、図２及び図３に示されるように、連結部３は、第１の翼部材５と、第１の翼部材と隙間２１（図３）を介して対面するように並列配置された第２の翼部材６と、第１の翼部材５と第２の翼部材６とを連結部３の後方で接続する接続部７と、を備えている。第１の翼部材５、第２の翼部材６及び接続部３は、それぞれ別体の部品として作り、それらを接続することもできるが、一体成形されていてもよい。
【００２１】
連結部３において、樹脂部８が第１及び第２の翼部材（５，６）の間の隙間２１（図３）へと挿入され、樹脂部８は接続部７に隣接した空間２０（図３）に配置される。樹脂部８は、リング４の回転軸１６に垂直の断面で略コの字に形成されており、リング４の回転軸１６を受け入れるように貫通した溝１９を有する。樹脂部８は、該樹脂部８の溝１９が連結部３の前方の開放部分（隙間２１）に向かうように配置される。
【００２２】
第１の翼部材５は、接続部７に隣接した内壁部に第１の凹部９を有し、第２の翼部材６は、接続部７に隣接した内壁部に、第１の凹部９と対面した第２の凹部１０を有し、接続部７は、第１の凹部９と第２の凹部１０とを接続する第３の凹部２２を有する。樹脂部８は、第１の凹部９と第２の凹部１０と第３の凹部２２とによって、溝１９を前方に向けた状態で受け入れられる。この状態で、リング４の回転軸１６が連結部３の隙間２１を通って樹脂部８の溝１９内に挿入される（図８、図９、図１０参照）。
【００２３】
連結部３は、その前方に、第１及び第２の翼部材（５，６）を互いに接近させるように設けられた締結部１４を備えている。ここで、第１の翼部材５は第１の貫通孔１１を有し、第２の翼部材６は第２の貫通孔１２を有し、第１の貫通孔１１と第２の貫通孔１２とは整列している。締結部１４は、第１及び第２の貫通孔（１１，１２）を通過して第１及び第２の翼部材（５，６）を締結するネジ又はピンとして構成することができる。図１及び図２の例では、締結部１４は、ピンである。この場合、ピン１４を第１及び第２の貫通孔（１１，１２）を通過させ、ピン１４のヘッド部が第１の貫通孔１１の入口に収まった状態で、第２の貫通孔１２から突出したピン１４の末端部をかしめることによって、第１及び第２の翼部材（５，６）の前方部分が締結される。
【００２４】
締結部１４をネジで構成した場合、第２の貫通孔１２の内壁にネジが切られており、ネジ１４を第１の貫通孔１１から挿入し、ネジ１４のネジ部分を第２の貫通孔１２に螺合することによって第１及び第２の翼部材（５，６）の前方部分が締結されるようにしてもよい。或いは、ネジ１４のネジ部分を第２の貫通孔１２から突出させて、突出した部分にナットを螺合させるようにしてもよい。或いはまた、ナットが第２の貫通孔１２の出口に埋め込まれていてもよい。
【００２５】
以上のように締結部１４を締結したとき、第１及び第２の翼部材（５，６）が接近するため、樹脂部８が締め付けられ、かくして、樹脂部８に受け入れられたリング４の回転軸１６が挟持され、リング４は、その回転位置が回転軸１６と樹脂部８との間の摩擦力によって維持される。従って、その摩擦力を超える力でリング４に力を加えたときリング４は回転軸１６の周りに当該力の方向に応じて図１のＢ方向に回転することとなり、力を抜くと、その回転位置で止まることになる（図９も参照）。
【００２６】
好ましくは、所定厚さの制限部材１５が、第１及び第２の翼部材（５，６）の間の隙間２１に樹脂部８の前方に配置されるのがよい。制限部材１５がネジ又はピンである締結部１４が通過する部分まで延在する場合には、制限部材１５は、締結部１４が貫通する孔１８を有する。
【００２７】
制限部材１５の上記所定の厚さは、第１及び第２の翼部材（５，６）の接近によるリング４の回転軸１６の挟持を可能にしつつ、第１及び第２の翼部材（５，６）が所定厚さ以内に接近することを防止することで締結部１４による締結を確実にするように設定されている。
【００２８】
図２、３、５、８、９及び１０に示されるように、連結部３は、第２の翼部材６から垂直に延在する回転部１３をさらに備えている。回転部１３は、固定板２に回転可能に軸支される。例えば、回転部１３は、円筒形のカシメ金具であり、固定板２の軸孔１７（図２）に挿入され、その末端部がかしめられることによって、回転部１３を固定板２に回転可能に装着することが可能となる。図示を省略するが、固定板２は、２枚のプレートを接着してなるものであり、先ずこれらのプレートが分離した状態の１枚目のプレートの軸孔１７に回転部１３を挿入し、１枚目のプレートから突出した回転部１３の末端部をかしめて、１枚目のプレートに回転可能に連結部３を接続し、２枚目のプレートを、そのかしめられた回転部１３の末端部を覆うように、１枚目のプレートに接着することによって、固定板２を完成させる。この状態で、回転部１３と孔１７の内壁との間の摩擦力で、回転部１３は、固定板２に対するその回転位置を維持する。
【００２９】
従って、リング４は、固定板２に対して矢印Ａ（図１）方向に沿って回転可能となると共に、固定板２に対して矢印Ｂ方向（図１）に沿って回転可能となり、ユーザが望む向きに自在に設定することが可能となる。よって、固定板２をモバイル機器５０に接着し、リング４の回転位置を適宜設定することによって、モバイル機器５０を所望の傾斜角度及び縦横のいずれかの配位で、机等の上に立てて置くことが可能となる。
【００３０】
好ましくは、リング４は、図６、図７に示されるように、４隅２４が丸められた矩形の形状を有するのがよい。これによって、ユーザが角部を気にすることなくモバイル機器５０を机等の上にしっかりと置くことが可能となる。また、回転軸１６は、矩形形状のリング４の一辺の一部分をなすようにしてもよい。さらに、リング４は、円形の内周を有していてもよい。
【００３１】
本発明の一実施形態に係るアクセサリ１によれば、上記説明したように、自転軸１６を有するリング４と、リング４を回転可能に受け入れるための空間２０を有する連結部３と、締結部１４と、を有するという非常に簡単な構成により、リング４の回転位置を自在に設定することが可能となる。また、アクセサリ１の組み立て時には、連結部３の隙間２１に樹脂部８を装着し、リング４の回転軸１６を隙間２１を通して樹脂部８に嵌合させ、締結部１４を締結するという非常に簡単な操作だけで済む。
【００３２】
以上が本発明の一実施形態であるが、本発明は上記例にのみ限定されず、本発明の範囲内において任意好適に変更可能である。例えば、上記例では制限部材１５は、第１及び第２の翼部材５、６とは別体の部品として構成されたが、回転軸１６の挿入の妨げにならない範囲で第１及び第２の翼部材５、６の少なくともいずれかの内壁から一体に突出した部分であってもよい。また、モバイル機器５０は、スマートフォンに限らず、タブレット型端末等、他の機器にも応用可能であることはいうまでもない。
【符号の説明】
【００３３】
１    アクセサリ
２    固定板
３    連結部
４    リング
５    第１の翼部材
６    第２の翼部材
７    接続部
８    樹脂部
９    第１の凹部
１０    第２の凹部
１１    第１の貫通孔
１２    第２の貫通孔
１３    回転部
１４    締結部（ネジ、ピン）
１５    制限部材
１６    回転軸
１７    固定板２の孔
１８    制限部材１５の貫通孔
１９    樹脂部８の溝
２０    樹脂部８の受け入れ空間
２１    連結部３の溝
２２    第３の凹部
２３    リング４の円形の内周部
２４    リング４の丸められた４隅
【要約】      （修正有）【課題】簡易な構成で製造の容易なモバイル機器のためのアクセサリを提供する。【解決手段】モバイル機器のためのアクセサリ１は、固定板２と、固定板２に回転可能に連結された連結部３と、リング４とを備える。リング４は、弧の一部分が回転軸１６として形成される。連結部３は、第１の翼部材５と、第１の翼部材と隙間を介して対面するように並列配置された第２の翼部材６と、第１及び第２の翼部材を後方で接続する接続部７と、接続部７に隣接して配置された、回転軸１６を受け入れる樹脂部８と、第１及び第２の翼部材を互いに接近させるように連結部３の前方に設けられた締結部１４と、を備える。締結部１４を締結したとき、回転軸１６が樹脂部８を介して挟持され、リング４は、その回転位置が回転軸１６と樹脂部８との間の摩擦力によって維持される。所定厚さの制限部材１５が、第１及び第２の翼部材の間の隙間に樹脂部８の前方に配置される。【選択図】図２【図１】
0006713179.tif 000002
【図２】
0006713179.tif 000003
【図３】
0006713179.tif 000004
【図４】
0006713179.tif 000005
【図５】
0006713179.tif 000006
【図６】
0006713179.tif 000007
【図７】
0006713179.tif 000008
【図８】
0006713179.tif 000009
【図９】
0006713179.tif 000010
【図１０】
0006713179.tif 000011